(57)【要約】【課題】  回転清掃体を取り外す際に指の汚れを防止し、また回転清掃体の回転振動を抑制するようにしたことを目的とする。【解決手段】  床面の塵埃を吸込むための吸込み具本体１と、床面を清掃するための植毛１５と吸込み流を受けるブレード１４とを有する回転部材１１、回転部材の両端に設けられた支承軸１２及び該支承軸の一方に回転自在に取り付けられた軸受部材１３からなる回転清掃体１０と、回転清掃体の軸受部材の端部に設けられた取っ手部１９と、吸込具本体の一側面に設けられた軸受凹部２１と、吸込具本体の他側面に設けられた軸受部材取付穴２２とを備え、回転清掃体の支承軸を吸込具本体の軸受凹部に回転自在に支承させ、回転清掃体の軸受部材を吸込具本体の軸受部材取付穴に着脱可能に取り付けるようにしたものである。【選択図】        図１
2005312589.tif 000002
【特許請求の範囲】
【請求項１】
床面の塵埃を吸込むための吸込み具本体と、
床面を清掃するための植毛部材と吸込み流を受けるブレードとを有する回転部材、該回転部材の両端に設けられた支承軸及び該支承軸の一方に回転自在に取り付けられた軸受部材からなる回転清掃体と、
前記回転清掃体の軸受部材の端部に設けられた取っ手部と、
前記吸込具本体の一側面に設けられた軸受凹部と、
前記吸込具本体の他側面に設けられた軸受部材取付穴とを備え、
前記回転清掃体の支承軸を前記吸込具本体の前記軸受凹部に回転自在に支承させ、
前記回転清掃体の前記軸受部材を前記吸込具本体の前記軸受部材取付穴に着脱可能に取り付けたことを特徴とする電気掃除機の吸込具。
【請求項２】
前記回転清掃体の軸受部材の外周面に周方向に間隔を置いた一対のロック用突起を設け、該一方のロック用突起を力を加えた時に内側に動き、力を除去した時に元の位置に復帰するように形成し、
前記吸込具本体の軸受部材取付穴には、該軸受部材取付穴に軸受部材を嵌め込むときに前記一対のロック用突起を挿入可能とする該ロック用挿入溝と、該ロック用挿入溝と連通し、該軸受部材取付穴に嵌め込んだ前記軸受部材を回転させたときに該一対のロック用突起が移動可能な環状溝とを設け、該環状溝に前記一対のロック用突起の間に嵌合する嵌合突起を設けたことを特徴とする請求項１記載の電気掃除機の吸込具。
【請求項３】
前記回転清掃体の軸受部材の外周面に前記一対のロック用突起とは異なる位置に位置決め用突起を設け、前記吸込具本体の軸受部材取付穴には、該軸受部材取付穴に前記軸受部材を嵌め込むときに前記位置決め用突起を挿入可能とする該位置決め用挿入溝と、該位置決め用挿入溝と連通し、該軸受部材取付穴に嵌め込んだ前記軸受部材を回転させたときに該位置決め用突起が移動可能な環状溝とを設け、該環状溝に前記一対のロック用突起の間に前記嵌合突起が嵌合したときに前記位置決め用突起が当接して前記軸受部材の回転を阻止するストッパ用突起を設けたことを特徴とする請求項２記載の電気掃除機の吸込具。
【請求項４】
前記軸受部材取付穴の環状溝は前記ロック用挿入溝から前記一対のロック用突起が次第に該軸受部材取付穴の内部に入り込むよう傾斜したテーパー環状溝であることを特徴とする請求項３記載の電気掃除機の吸込具。
【請求項５】
前記軸受部材の持ち手部はコイン溝を有することを特徴とする請求項１〜４のいずれかに記載の電気掃除機の吸込具。
【請求項６】
前記吸込具本体の軸受凹部に前記回転清掃体の回転部材を前記軸受部材取付穴に向けて付勢するバネ部材を設けたことを特徴とする請求項１〜５のいずれかに記載の電気掃除機の吸込具。
【発明の詳細な説明】
【技術分野】
【０００１】
本発明は、一般家庭等で使用される電気掃除機の吸込具に係り、特に吸込具の回転清掃体の取り付け構造に関するものである。
【背景技術】
【０００２】
従来の電気掃除機の吸込具は、上ケースと下ケース及び吸込口の上部を覆う吸込カバーとを備え、吸込カバーはその両端に設けられた開閉レバーによって上ケース及び下ケースに着脱可能に設置されている。その吸込口にはブレードと刷毛とを有する回転清掃体が回転自在に設置されている。そして、回転清掃体を取り外す際には、開閉レバーを操作して吸込カバーを外して、上方から回転清掃体を取り外すようにしている（例えば、特許文献１参照。）。
【特許文献１】特開平８−３３５９４号公報（第１頁、図１）
【発明の開示】
【発明が解決しようとする課題】
【０００３】
従来の電気掃除機の吸込具では、回転清掃体を取り外すには吸込カバーの両端に設けられた開閉レバーを操作して吸込カバーを外してから回転清掃体を指で掴んで取り外す必要があり、吸込カバーを外さなければならず、手間がかかり、さらに回転清掃体は塵埃を吸い込む吸込口内にあるために塵埃で汚れていることにより、指が汚れるという問題があった。
本発明は、回転清掃体を取り外す際に指の汚れを防止し、回転清掃体の回転振動を抑制するようにした電気掃除機の吸込具を得ることを目的とする。
【課題を解決するための手段】
【０００４】
本発明に係る電気掃除機の吸込具は、床面の塵埃を吸込むための吸込み具本体と、床面を清掃するための植毛部材と吸込み流を受けるブレードとを有する回転部材、該回転部材の両端に設けられた支承軸及び該支承軸の一方に回転自在に取り付けられた軸受部材からなる回転清掃体と、前記回転清掃体の軸受部材の端部に設けられた取っ手部と、前記吸込具本体の一側面に設けられた軸受凹部と、前記吸込具本体の他側面に設けられた軸受部材取付穴とを備え、前記回転清掃体の支承軸を前記吸込具本体の前記軸受凹部に回転自在に支承させ、前記回転清掃体の前記軸受部材を前記吸込具本体の前記軸受部材取付穴に着脱可能に取り付けたことを特徴とする。
【発明の効果】
【０００５】
本発明による電気掃除機の吸込具は、回転清掃体が植毛部材と吸込み流を受けるブレードとを有する回転部材、該回転部材の両端に設けられた支承軸及び該支承軸の一方に回転自在に取り付けられた軸受部材からなり、該軸受部材の端部に取っ手部を設け、回転清掃体の支承軸を吸込具本体の一側面に設けられた軸受凹部に回転自在に支承させ、回転清掃体の軸受部材を吸込具本体の他側面に設けられた軸受部材取付穴に着脱可能に取り付けるようにしたので、吸込具本体から回転清掃体を取り外す場合に回転清掃体の軸受部材に設けられた取っ手部を持って吸込具本体の軸受部材取付穴から回転清掃体を引き出すことにより、吸込具本体から回転清掃体を取り外すことができるため、回転部材の汚れている植毛部材とブレードとに触れることなく、しかも簡単に回転清掃体を取り外すことができ、使い勝手がよいものとなっている。
【発明を実施するための最良の形態】
【０００６】
実施の形態１．
図１は本発明の実施の形態１に係る吸込具の床面側から見た斜視図、図２は同吸込具から回転清掃体を取り外した床面側から見た斜視図、図９は同吸込具の断面図、図４は同吸込具の回転清掃体の斜視図、図５は同吸込具の下ケースを上から覗いた部分斜視図、図６は同吸込具の上ケースを下から覗いた部分斜視図、図７は同吸込具の軸受部材取付穴に回転清掃体の軸受部材がロックされた状態を示す断面図、図８は同吸込具の床面側から見た平面図、図９は同吸込具の斜視図、図１０は同吸込具の吸込カバーから回転清掃体が外れた状態を示す斜視図である。
【０００７】
まず、図１〜図３に基づいて電気掃除機の吸込具の外観の構成を説明する。
電気掃除機の吸込具は吸込具本体１と延長管（図示省略）と接続するための接続部２とを備えている。吸込具本体１は上ケース３と下ケース４と塵埃を吸込むための吸込口６の上部を覆う吸込カバー５とを備えて構成されている。下ケース４の下面には一対の車輪が４ａが設けられている。吸込カバー５における吸込口６端部には床面を移動させるための植毛板７が設けられている。
吸込み具本体１の吸込カバー５内で吸込口６の上方には、床面を清掃するための回転清掃体１０が設置されている。
【０００８】
図４に示すように、回転清掃体１０は、回転部材１１と、回転部材１１の両端に設けられた支承軸１２と、一方の支承軸１２に該支承軸１２を覆うように回転自在に取り付けられた有底円筒状の軸受部材１３とから構成されている。
その回転部材１１には軸線方向に沿って螺旋状の複数の溝が設けられており、これらの溝に対して溝に沿って可撓性のあるゴム製あるいはプラスチック製の帯状のブレード１４と植毛１５が交互に設けられている。
【０００９】
また、図５、図６に示すように、軸受部材１３は、その筒部外周に半割り状の間隔を置いて設けられた一対のロック用突起１６と、その一対のロック用突起１６から離れた位置に位置決め用突起１７が設けられており、底部外周に抜止め用フランジ１８が設けられている。
その一対のロック用突起１６のうち、一方のロック用突起１６はその周辺に切込溝１６ａが形成されており、力が加えられた時に軸受部材１３の内側に動き、力を除去した時に元の位置に復帰するように形成されている。
【００１０】
さらに、軸受部材１３の底部外面の中央には取っ手部１９が設けられており、その取っ手部１９の表面にコイン溝１９ａが設けられている。このコイン溝１９ａはコインを用いて軸受部材１３を回転させるためのものであるが、このコイン溝１９ａに例えばドライバー等の工具を用いて軸受部材１３を回転させるよにしてもよいことは勿論である。このような溝をコイン溝１９とする。
【００１１】
吸込カバー５の一方の側面の内側には回転清掃体１０のシャフト１２を回転自在に支持する軸受凹部２１が設けられており、吸込カバー５の他方の側面には回転清掃体１０の軸受部材１３を嵌合状態に取り付け自在とする軸受部材取付穴２２が形成されている。
軸受部材取付穴２２の内周面には、その穴中心方向に延び、軸受部材１３のロック用突起１６が挿入されるロック用挿入溝２３と、位置決め用突起１７が挿入される位置決め用挿入溝２４とが設けられている。
【００１２】
さらに、軸受部材取付穴２２の内周面には周面方向にロック用挿入溝２３と連通し、ロック用突起１６を内側へと案内するテーパー環状溝２５が設けられており、そのテーパー環状溝２５の終端に一対のロック用突起１６の間に嵌合する嵌合突起２６が設けられている。
【００１３】
また、軸受部材取付穴２２の内周面にはテーパー環状溝２５と離れた位置に、周面方向に位置決め用挿入溝２４と連通する環状溝２７が設けられており、その環状溝２７の終端に位置決め用突起１７を位置決めするストッパー用突起２８が設けられている。
また、吸込カバー５の軸受部材取付穴２２が形成されて側面には、「開」側の本体挿入目印３０ａと「閉」側の本体固定目印３０ｂが設けられている。
【００１４】
以上のように構成された本実施の形態における電気掃除機の吸込具の作用について説明する。
まず、吸込具本体１に回転清掃体１０を取り付ける場合について説明する。
吸込具本体１の吸込カバー５の側面に形成された軸受凹部２１にコイルスプリング３１を取り付けておき、吸込具本体１の吸込カバー５の一側面に形成された軸受部材取付穴２２に回転清掃体１０をそのシャフト１２側から挿入する。
【００１５】
そして、回転清掃体１０のシャフト１２がコイルスプリング３１を貫通して軸受凹部２１に達する直前に回転清掃体１０の軸受け部材１３が、図１に示すように吸込カバー５の軸受部材取付穴２２に臨むようになったときに、軸受部材１３の一対のロック用突起１６、１６をを軸受部材取付穴２２の周囲の本体挿入目印３０ａに合わせ、軸受部材１３をコイルスプリング２８の付勢力に抗して押し込むと、軸受部材１３の一対のロック用突起１６がロック用挿入溝２３に係合すると共に位置決め用突起１７が位置決め用挿入溝２４に係合した状態で押し込まれる。
【００１６】
さらに、押し込みを続けると、一対のロック用突起１６は軸受部材取付穴２２のテーパー環状溝２５を進んで嵌合突起２６に当接し、位置決め用突起１７は環状溝２７に至り、それ以上押し込みができない状態になる。
そこで、軸受部材１３の取っ手部１９を指で摘んで、軸受部材１３を軸受部材取付穴２２の周囲の「閉」側の固定目印３０ｂに向けて回転させる。
【００１７】
そうすると、軸受け部材１３の一対のロック用突起１６の一つが内側に動いて軸受部材取付穴２２の嵌合突起２６を乗り越え、その嵌合突起２６が一対のロック用突起１６の間に嵌合したところで、もう一つの位置決め用突起１７が軸受部材取付穴２２のストッパー用突起２８に当接して回転が阻止され、軸受部材１３が軸受部材取付穴２２にロック状態に取り付け固定される。
なお、軸受部材１３を回転させるときは、取っ手部１９を指で摘んで回転させているが、取っ手部１９のコイン溝１９ａにコインを挿入させて回転させてもよい。
【００１８】
このとき、回転清掃体１０の支承軸１２が吸込カバー５の側面に形成された軸受凹部２１に回転自在に軸支され、軸受部材取付穴２２にロック状態に固定された軸受部材１３は、回転清掃体１０の支承軸１２に回転自在に取り付けられているから、回転清掃体１０は吸込カバー５の側面に回転自在に取り付けられることとなる。
【００１９】
このようにして回転清掃体１０が吸込具本体１に取り付けられた状態で、電気掃除機を稼働すると、吸込具本体１の前端側及び吸込口６から吸込具本体１内に風が吸い込まれる。そして、これらの風が回転清掃体１０のブレード１４に当たることよって回転清掃体１０が回転する。
【００２０】
また、回転清掃体１０を取り外す場合には、図５、図６に示すように、軸受部材１３の取っ手部１９を指で摘み、軸受部材１３を軸受部材取付穴２２の周囲の本体挿入目印３０ａに一致するまで回転させる。
そうすると、一対のロック用突起１６の一つが内側に動いて軸受部材取付穴２２の嵌合突起２６を乗り越えて軸受部材取付穴２２に対する軸受部材１３のロックが解除された後、一対のロック用突起１６がテーパー環状溝２５を進んでロック用挿入溝２３に至ると共に、ストッパ用突起２８も位置決め用挿入溝２４の位置にくる。
【００２１】
その後は、コイルスプリング３１の付勢力により、一対のロック用突起１６がロック用挿入溝２３を動き、ストッパ用突起２８も位置決め用挿入溝２４を動いて図５、図６及び図１０に示すように回転清掃体２１の軸受部材１３が軸受部材取付穴２２から飛び出すこととなる。
そこで、回転清掃体１０の軸受部材１３の取っ手部１９を指でつまんで軸受部材取付穴２２から引き出すことにより、回転清掃体１０を吸込カバー５、即ち吸込具本体１から回転清掃体１０を取り外すことができる。
【００２２】
このように、回転清掃体１０の軸受部材１３を回転させて引き抜くことにより、回転清掃体１０を吸込具本体１から取り外すことができるから、回転清掃体１０のブレード１４や植毛１５に触れることなく、しかも指一本で簡単に回転清掃体１０を吸込具本体１から取り外すために、指が汚れるということはなくなった。また、従来のように吸込カバー５を外す必要もないので、手間もかからず簡単に取り外すことができ、使い勝手がよい。
また、回転清掃体１０の着脱時にブレード１４を持つ必要がないので、ブレード１４が伸びたり外れたりしない。
【００２３】
さらに、軸受部材１３の一対のロック突起１６の間に吸込カバー５に形成された軸受部材取付穴２２の嵌合突起２６が嵌合して軸受部材１３が軸受部材取付穴２２にロック状態に確実に固定されるから、吸込具本体１を壁等に強い力で当接させても、軸受部材１３は軸受部材取付穴２２内で回転しないため、軸受部材１３が外れることがなく、安全に使用することができると共に、回転清掃体１０の回転による振動も抑制することができ、使い勝手の良い電気掃除機を提供することができる。
【図面の簡単な説明】
【００２４】
【図１】本発明の実施の形態１の吸込具の床面側から見た斜視図である。
【図２】同吸込具から回転清掃体を取り外した床面側から見た斜視図である。
【図３】同吸込具の断面図である。
【図４】同吸込具の回転清掃体の斜視図である。
【図５】同吸込具の下ケースを上から覗いた部分斜視図である。
【図６】同吸込具の上ケースを下から覗いた部分斜視図である。
【図７】同吸込具の軸受部材取付穴に回転清掃体の軸受部材がロックされた状態を示す断面図である。
【図８】同吸込具の床面側から見た平面図である。
【図９】同吸込具の斜視図である。
【図１０】同吸込具の吸込カバーから回転清掃体が外れた状態を示す斜視図である。
【符号の説明】
【００２５】
１  吸込具本体、３  上ケース、４  下ケース、５  吸込カバー、６  吸込口、１０  回転清掃体、１２  支持軸、１３  軸受部材、１４  ブレード、１５  植毛、１６  ロック用突起、１７  位置決め用突起、１８  抜止め用フランジ、１９  取っ手部、１９ａ  コイン溝、２１  軸受凹部、２２  軸受部材取付穴、２３  ロック用挿入溝、２４  位置決め用挿入溝、２５  テーパー環状溝、２６  嵌合突起、２７  環状溝、２８  ストッパ用突起、３１  コイルスプリング。
【図１】
2005312589.tif 000003
【図２】
2005312589.tif 000004
【図３】
2005312589.tif 000005
【図４】
2005312589.tif 000006
【図５】
2005312589.tif 000007
【図６】
2005312589.tif 000008
【図７】
2005312589.tif 000009
【図８】
2005312589.tif 000010
【図９】
2005312589.tif 000011
【図１０】
2005312589.tif 000012